(57)【特許請求の範囲】
【請求項１】
Ｌ型ブロックを使用した岸壁・護岸の陸側に隣接して、該岸壁・護岸からの陸側に向かって下り傾斜を持つように裏込石を積み上げた後、裏込石の上に防砂シ−トを敷設し、その上に埋立土を埋め立てた岸壁・護岸からの埋立土流出防止構造において、前記Ｌ型ブロックの長手方向両端部から一定距離離れた陸側に、Ｌ型ブロックの目地部分を裏込石で覆うための裏込石投入壁を設け、隣り合うＬ型ブロックの裏込石投入壁間で形成される裏込石投入部に裏込石を投入した後、裏込石を裏込石投入部とともに防砂シ−トで覆い、その上から裏込土を投入することを特徴とする岸壁・護岸の埋立土流出防止構造。
【発明の詳細な説明】
【０００１】
【発明の属する技術分野】
この発明は、岸壁・護岸の埋立土流出防止構造に関する。
【０００２】
【従来の技術】
波による海水の流動や、埋立土側の残留水位に起因する浸透流等により、ケ−ソン目地等の隙間から埋立土が海側に流出する（吸い出しという）恐れがある。埋立土が流出すると、護岸等の背後の地盤の局所的な陥没を引き起こし、場合によっては地盤沈下による災害も起きることになる。
【０００３】
そのため、岸壁・護岸においては、埋立土の流出防止対策を十分に施す必要がある。重力式護岸・岸壁においては、護岸・岸壁に使用されるケ−ソンの目地（ケ−ソンとケ−ソンのつなぎ目）が、埋立土の流出に対して弱点となることが、「ケ−ソン式護岸背後の沈下災害に関する実験（海洋開発論文周  Ｖol.10  1994年6月）に記載されている。
【０００４】
これまで、埋立土の流出防止対策としては、図４の平面図に示すように、ケ−ソン４１とケ−ソン４１の目地４２部分に、ケ−ソン４１の上端から下端にわたって袋目地４３を配置し、この袋目地４３により、陸側４４の埋立土が海側４５に流出するのを防止したり、図５の平面図に示すように、ケ−ソン５１とケ−ソン５１の目地５２部分の陸側５３に、ケ−ソン５１の上端から下端にわたって目地板５４を配置し、この目地板５４により、陸側５３の埋立土が海側５５に流出するのを防止したりするようにしていた。
【０００５】
また、主として、土圧軽減のために行われる裏込め工によっても、埋立土の流出防止効果があることが、「港湾の施設の技術上の基準・同解説」（運輸省港湾局監修）に記載されている。すなわち、裏込め工を行った場合に以下の３点の効果が期待できる。
（ａ）内部摩擦角の増大による土圧の低減
（ｂ）透水性の増大による残留水位の低下
（ｃ）裏込土砂の流出防止
裏込め工においては、上記土圧の低減および残留水位の低下の２点は、設計において十分対応が可能であれば必要なく、裏込土砂の流出を防止するだけでよい。
【０００６】
図６は、このような裏込め工を示す断面図であるが、ケ−ソン６１の陸側６２に隣接して、１：１．２程度の勾配で三角形状に裏込石６３を積み上げ、積み上げた裏込石６３の上に埋立土流出防止用のシ−ト（防砂シ−ト）６４を敷設し、その上から埋立土６５を埋め立てる。
【０００７】
【発明が解決しようとする課題】
しかしながら、上述した埋立土流出防止効果が期待できる裏込め工は、次のような問題点がある。岸壁・護岸の全長にわたって、裏込石を積み上げることになるので、そのために、過酷な潜水作業が要求されるとともに、裏込石をならすための作業や防砂シ−トの敷設作業が煩雑であり、岸壁・護岸の埋立土流出防止対策として用いるには、費用がかかりすぎる。
【０００８】
この発明は、従来技術の上述のような問題点を解消するためになされたものであり、裏込め工が容易に行えるので、埋立土の流出防止対策を安価な費用で行うことのできる岸壁・護岸の埋立土流出防止構造を提供することを目的としている。
【０００９】
【課題を解決するための手段】
この発明の参考とする第一の岸壁・護岸の埋立土流出防止構造は、岸壁・護岸の陸側に隣接して、該岸壁・護岸からの陸側に向かって下り傾斜を持つように裏込石を積み上げた後、裏込石の上に防砂シ−トを敷設し、その上に埋立土を埋め立てた岸壁・護岸からの埋立土流出防止構造において、岸壁・護岸の陸側目地部分に、該目地部分を覆う裏込石投入枠を設置し、該裏込石投入枠に裏込石を投入した後、裏込石を裏込石投入枠とともに防砂シ−トで覆い、その上から裏込土を投入するものである。
【００１０】
この発明に係る第一の岸壁・護岸の埋立土流出防止構造においては、埋立土流出に最も弱い場所である岸壁・護岸の陸側目地部分に、該目地部分の下端から上端まで覆う裏込石投入枠を設置し、該裏込石投入枠に裏込石を投入した後、裏込石を裏込石投入枠とともに防砂シ−トで覆い、その上から裏込土を投入するようにしている。
【００１１】
したがって、裏込石の使用量は少なく、裏込め工に要する費用や作業量は少なくてすみ、かつ埋立土流出防止効果も十分に発揮できる。
【００１２】
この発明に係る第二の岸壁・護岸の埋立土流出防止構造は、Ｌ型ブロックを使用した岸壁・護岸の陸側に隣接して、該岸壁・護岸からの陸側に向かって下り傾斜を持つように裏込石を積み上げた後、裏込石の上に防砂シ−トを敷設し、その上に埋立土を埋め立てた岸壁・護岸からの埋立土流出防止構造において、前記Ｌ型ブロックの長手方向両端部から一定距離離れた陸側に、Ｌ型ブロックの目地部分を裏込石で覆うための裏込石投入壁を設け、隣り合うＬ型ブロックの裏込石投入壁間で形成される裏込石投入部に裏込石を投入した後、裏込石を裏込石投入部とともに防砂シ−トで覆い、その上から裏込土を投入するものである。
【００１３】
この岸壁・護岸の埋立土流出防止構造も、第一の岸壁・護岸の埋立土流出防止構造同様、要する費用や作業量は少なくてすみ、かつ埋立土流出防止効果も十分に発揮できる。
【００１４】
なお、Ｌ型ブロックを使用する場合には、Ｌ型ブロックの長手方向両端部から一定位置離れた位置に、あらかじめ裏込石を投入するための裏込石投入壁を設置しておくことにより、隣り合うＬ型ブロックの裏込石投入壁間を裏込石投入部として利用することができ、特別な枠体は必要としない。
【００１５】
この発明の参考とする第三の岸壁・護岸の埋立土流出防止構造は、岸壁・護岸の陸側目地部分をはさんで、海水面よりも高くなる長さの１対の裏込石投入枠装着用金具を垂直に設け、該装着具に断面コの字型で高さが前記海水面よりも高い裏込石投入枠を装着し、該裏込石投入枠に裏込石を投入した後、その上から裏込土を投入するものである。
【００１６】
この岸壁・護岸の埋立土流出防止構造は、断面コの字型の裏込石投入枠を、岸壁・護岸の陸側目地部分をはさんで、海水面よりも高くなる長さの１対の裏込石投入枠装着用金具に装着するだけでよいので、施工が簡単に行える。
【００１７】
また、裏込石投入枠の高さを、海水面の高さよりも高くしているので、目地部分における裏込石投入高さも海水面よりも高くなり、裏込石を防砂シ−トで覆わなくても、裏込土が目地部分から流出することはない。
【００１８】
【発明の実施の形態】
本発明の実施の形態を、図面を参照して説明する。
図１は本発明の岸壁・護岸の埋立土流出防止構造の参考とする第一の実施の形態の説明図であり、（ａ）はケ−ソンの目地部分に設置した裏込石投入枠の斜視図、（ｂ）はケ−ソンと裏込石投入枠および防砂シ−トとの接続部を示す平面図、（ｃ）は裏込石投入枠に裏込石をその他の部分に裏込土を投入した状態を示す平面図である。
【００１９】
この岸壁・護岸の埋立土流出防止構造においては、隣り合うケ−ソン１同士の陸側３の目地２部分に、裏込石8を投入するための裏込石投入枠４を配置している。裏込石投入枠４の側壁４ａの形状は、直角三角形の形状をしており、２枚の側壁が複数の接続部材４ｂにより接続された形状になっている。そして、投入した裏込石8により、陸側３に向かって下がる傾斜面が形成されるようになっている。
【００２０】
図１（ｂ）に示すように、あらかじめ工場で製作された裏込石投入枠４は、ケ−ソン１に取り付けられている挿入用金具５のスリット部に、その係合部４ｃを挿入することにより、ケ−ソン１に固定される。また、裏込石投入枠４の側壁４ａには防砂シ−ト６の一端部が上下方向に固着されており、防砂シ−ト６の他端部には防砂シ−ト固定用治具7が取り付けられている。そして、防砂シ−ト固定用治具7も、挿入用金具５の他のスリット部に挿入され、ケ−ソン１と裏込石投入枠４との間から裏込土が流出しないようにしている。
【００２１】
図１（ｃ）は上述のように配置された裏込石投入枠４に、裏込石８を投入した後、裏込石投入枠４の周りに裏込土９を投入した状態を表している。前記防砂シ−ト６は、投入した裏込土９により裏込石投入枠４に押し付けられ、ケ−ソン１と裏込石投入枠４との間から裏込土９が流出できない状態となっている。
【００２２】
図１（ｃ）には示されていないが、最終的には裏込石８を積み上げた部分の上方も、裏込土9を投入するが、このときには、裏込石８を積み上げた法面上に防砂シ−トを敷設して、法面からの裏込土の流出を防止する。
【００２３】
このような構造にすることにより、ケ−ソンの法線（ケ−ソン長手方向）直角方向の設置誤差や、ケ−ソン設置後の圧密による不等沈下で生じるねじれ等に対しても、可撓性に富む構造であるため十分に対処できる。
【００２４】
なお、図１（ａ）において、符号１０ａは海底地盤、符号１０ｂは基礎捨石マウンドである。
【００２５】
次に、本発明の岸壁・護岸の埋立土流出防止構造の第二の実施の形態を図2により説明する。図2は本発明の岸壁・護岸の埋立土流出防止構造の第二の実施の形態の説明図であり、（ａ）は長手方向両端部に裏込石投入壁を設けたＬ型ケ−ソンの斜視図、（ｂ）は隣り合う２個のＬ型ケ−ソンの裏込石投入壁間に形成される裏込石投入枠を示す斜視図、（ｃ）は裏込石投入枠に裏込め石を投入した状態を示す斜視図である。
【００２６】
この岸壁・護岸の埋立土流出防止構造においては、前壁１１が海側１２に位置し、底版１３が陸側１４に位置するように配置され、長手方向に沿って前壁１１の倒れを防止するための複数の補剛材１５が設けられているＬ型ケ−ソン１６に、その長手方向両端部から一定距離Ｔ離れた位置に位置するように、直角を挟む辺がＬ型ケ−ソン１６の前壁１１と底版１３に接する略三角形の裏込石投入壁１７が設けられるとともに、両端部の位置には、隣り合うＬ型ケ−ソン１６の目地部１８を形成するための妻壁１９が設けられている。
【００２７】
図２（ｂ）は、上述のようにして製作された２個のＬ型ケ−ソンを、端部に設けた妻壁１９の板面がお互に接触するようして、長手方向に並べた状態を示しているが、板面が接触している２枚の妻壁１９を中心として、左右にそれぞれ１枚づつの裏込石投入壁１７が位置し、両方の裏込石投入壁１７の間に裏込石投入部２０が形成される。
【００２８】
図２（ｃ）は、上述したＬ型ケ−ソン１６の目地部１８を中心として、２枚の裏込石投入壁１７で形成される裏込石投入部２０に、裏込石２１を投入した状態を示している。この実施の形態の場合には、Ｌ型ケ−ソン１６と裏込石投入壁１７とを一体的に形成することができるので、両者の接触部に防砂シ−トを配置する必要はない。また、第一の実施の形態の場合のように、裏込石投入枠を取り付ける作業も必要ない。
【００２９】
したがって、裏込石投入部２０に、裏込石２１を投入した後は、裏込石２１の上に防砂シ−ト（図示せず）を敷設した上で裏込土を投入していけばよい。
【００３０】
次に、本発明の岸壁・護岸の埋立土流出防止構造の参考とする第三の実施の形態を図３により説明する。図３は本発明の岸壁・護岸の埋立土流出防止構造の参考とする第三の実施の形態の説明図であり、（ａ）はケ−ソンの目地部分に設置した裏込石投入枠の斜視図、（ｂ）はケ−ソンと裏込石投入枠との接続部を示す平面図である。
【００３１】
この岸壁・護岸の埋立土流出防止構造においては、隣り合うケ−ソン３１同士の陸側３３の目地３２部分に、裏込石３６を投入するための裏込石投入枠３４を配置している。裏込石投入枠３４の形状は、水平断面がコの字形をしており、ケ−ソン３１に取り付けられている装着用金具３５のスリット部に、その係合部３４ｃを挿入することにより、ケ−ソン１に固定される。
【００３２】
そして、裏込石投入枠３４を取り付けた後、裏込石投入枠３４の中に裏込石３６を投入し、その上から裏込土を投入する。裏込石投入枠３４の高さはケ−ソン３１の外側の海水面よりも高くしているので、裏込石の高さも海水面よりも高くすることができ、裏込石の上に投入した裏込土は海水に接触しないので、裏込石の上に防砂シ−トを敷かなくても、裏込土が海水に吸い込まれることはない。
【００３３】
【発明の効果】
この発明により、岸壁・護岸の埋立土の流出を、安価な費用で防止することができる。
【図面の簡単な説明】
【図１】本発明の岸壁・護岸の埋立土流出防止構造の参考とする第一の実施の形態の説明図であり、（ａ）はケ−ソンの目地部分に設置した裏込石投入枠の斜視図、（ｂ）はケ−ソンと裏込石投入枠および防砂シ−トとの接続部を示す平面図、（ｃ）は裏込石投入枠に裏込石をその他の部分に裏込土を投入した状態を示す平面図である。
【図２】本発明の岸壁・護岸の埋立土流出防止構造の第二の実施の形態の説明図であり、（ａ）は長手方向両端部に裏込石投入壁を設けたＬ型ケ−ソンの斜視図、（ｂ）は隣り合う２個のＬ型ケ−ソンの裏込石投入壁間に形成される裏込石投入枠を示す斜視図、（ｃ）は裏込石投入枠に裏込め石を投入した状態を示す斜視図である。
【図３】本発明の岸壁・護岸の埋立土流出防止構造の参考とする第三の実施の形態の説明図であり、（ａ）はケ−ソンの目地部分に設置した裏込石投入枠の斜視図、（ｂ）はケ−ソンと裏込石投入枠との接続部を示す平面図である。
【図４】従来の袋目地を使用したケ−ソンの目地部からの埋立土流出防止方法を示す平面図である。
【図５】従来の目地板を使用したケ−ソンの目地部からの埋立土流出防止方法を示す平面図である。
【図６】従来の埋立土流出防止効果のある裏込め工を示す断面図である。
【符号の説明】
１  ケ−ソン
２  目地
３  陸側
４  裏込石投入枠
５  挿入用金具
６  防砂シ−ト
７  防砂シ−ト固定用治具
８  裏込石
９  裏込土
１１  前壁
１２  海側
１３  底版
１４  陸側
１５  補剛材
１６  Ｌ型ケ−ソン
１７  裏込石投入壁
１８  目地部
１９  妻壁
２０  裏込石投入部
２１  裏込石
３１  ケ−ソン
３２  目地
３３  陸側
３４  裏込石投入枠
３５  装着用金具
３６  裏込石
【図１】
0004320972.tif 000002
【図２】
0004320972.tif 000003
【図３】
0004320972.tif 000004
【図４】
0004320972.tif 000005
【図５】
0004320972.tif 000006
【図６】
0004320972.tif 000007